(57)【要約】【課題】ピースの嵌脱が容易でありながら、縦置きにしても下向きにしても嵌め込んだピースが脱落することがなく、壁や天井にも取り付けることが可能な嵌脱自在パズル等を提供することを目的とする。【解決手段】ｎ角形（ｎ≧３の整数）の嵌め込みピースと、嵌め込みピースと嵌合する台座とからなる嵌脱自在パズルにおいて、台座は、嵌め込みピースの少なくとも一辺において、嵌め込みピースと当接する側辺スペーサと、嵌め込みピースの底面において、嵌め込みピースと当接する底面スペーサとを備える嵌脱自在パズルとする。【選択図】図１
2014166588.tif 000002
【特許請求の範囲】
【請求項１】
ｎ角形（ｎ≧３の整数）の嵌め込みピースと、前記嵌め込みピースと嵌合する台座とからなる嵌脱自在パズルにおいて、
前記台座は、
前記嵌め込みピースの少なくとも一辺において、前記嵌め込みピースと当接する側辺スペーサと、
前記嵌め込みピースの底面において、前記嵌め込みピースと当接する底面スペーサと、を備え、
前記嵌め込みピースが前記台座に嵌合した状態で、前記嵌め込みピースは、前記側辺スペーサと前記底面スペーサとで前記台座に保持され、前記側辺スペーサと前記底面スペーサとを除いて、前記嵌め込みピースと前記台座との間には所定の間隙を有し、
前記嵌め込みピースが前記台座に嵌合した状態で、前記嵌め込みピースの少なくとも一つの角を押圧する場合に、前記嵌め込みピースは、前記底面スペーサを支点として、前記側辺スペーサと当接する前記一辺が前記側辺スペーサに対して摺動して、前記押圧した角が押圧向きに前記所定の間隙内で陥没するとともに、前記押圧した角の対角または対辺が押圧向きと逆向きに突出する
ことを特徴とする嵌脱自在パズル。
【請求項２】
請求項１に記載の嵌脱自在パズルを平面状かつ一体的に複数備える嵌脱自在パズルユニット。
【請求項３】
請求項２に記載の嵌脱自在パズルユニットを平面状に複数備える嵌脱自在パズルシステム。
【発明の詳細な説明】
【技術分野】
【０００１】  本発明は、嵌脱自在パズルと嵌脱自在パズルユニットと嵌脱自在パズルシステムとに関する。
【背景技術】
【０００２】  従来、教育や頭の体操として用いる知育パズルは、例えばひらがなを記憶している子供がさらにカタカナや漢字を覚える場合に用いる知育パズルなど、各種のものが知られており、知能のリハビリや学習効果を高める知育玩具が種々提案されている。【０００３】  典型的には、既知の文字等を表示した複数のピースと、このピースを並べて載置するための文字枠を表示したピース台紙とを備えた知育パズルがある。ピースの文字と文字枠の文字とは、互いに関連をもって表示されており、かつ、対応関係のある文字を含むピースと文字枠とは同一形状に形成される。【０００４】  また、対応関係のない文字を含むピースと文字枠とはすべて異なる形状に形成される。このような知育パズルは、例えば下記特許文献１に開示されている。
【先行技術文献】
【特許文献】
【０００５】
【特許文献１】特開２００５−２７８７２１号公報
【発明の概要】
【発明が解決しようとする課題】
【０００６】  従来、知育パズルをはじめとするパズルは、プレイヤーが、各ピースに記載された絵の断片やピース形状を拠り所にして、パズル全体の図柄等から適切なピース配置を識別する必要があり、形状が合致しなければ嵌め込むことができないものであった。【０００７】  このため、プレイ中にピースを嵌め込むことができる回数は極めて限定されたものとなり、自在にピースを嵌め込んだり外したりして試行し、作成される図柄を確認しながらパズルを楽しむ、という要素に欠けるものであった。【０００８】  また、パズルを完成させた後、完成したパズルを壁等に掛けてその成果を鑑賞しようとすれば、嵌め込んだピースが落ちないように、例えば樹脂で固めたり額縁に収めたりする必要があった。【０００９】  本発明は、上述の問題点に鑑みなされたものであり、ピースの嵌脱が容易でありながら、縦置きにしても下向きにしても嵌め込んだピースが脱落することがなく、壁や天井にも取り付けることが可能な嵌脱自在パズル等を提供することを目的とする。
【課題を解決するための手段】
【００１０】  本発明の嵌脱自在パズルは、ｎ角形（ｎ≧３）の嵌め込みピースと、嵌め込みピースと嵌合する台座とからなる嵌脱自在パズルにおいて、台座は、嵌め込みピースの少なくとも一辺において、嵌め込みピースと当接する側辺スペーサと、嵌め込みピースの底面において、嵌め込みピースと当接する底面スペーサとを備えることを特徴とする。【００１１】  また、本発明の嵌脱自在パズルは、好ましくは嵌め込みピースが台座に嵌合した状態で、嵌め込みピースが、側辺スペーサと底面スペーサとで台座に保持され、側辺スペーサと底面スペーサとを除いて、嵌め込みピースと台座との間には所定の間隙を有することを特徴とする。【００１２】  また、本発明の嵌脱自在パズルは、さらに好ましくは嵌め込みピースが台座に嵌合した状態で、嵌め込みピースの少なくとも一つの角を押圧する場合に、嵌め込みピースが、底面スペーサを支点として、側辺スペーサと当接する一辺が側辺スペーサに対して摺動して、押圧した角が押圧向きに所定の間隙内で陥没するとともに、押圧した角の対角または対辺が押圧向きと逆向きに突出することを特徴とする。【００１３】  また、本発明の嵌脱自在パズルは、さらに好ましくは嵌め込みピースが正方形であり、側辺スペーサは、嵌め込みピースの各辺の中央部に対応して各々設けられ、底面スペーサは、嵌め込みピースより小さい正方形であって、台座に嵌合した状態の嵌め込みピースに対して、４５°偏向して設けられることを特徴とする。【００１４】  また、本発明の嵌脱自在パズルは、さらに好ましくは嵌め込みピースが三角形であり、側辺スペーサは、嵌め込みピースの各辺の中央部に対応して各々設けられ、底面スペーサは、嵌め込みピースより小さい三角形であって、台座に嵌合した状態の嵌め込みピースに対して、６０°偏向して設けられることを特徴とする。【００１５】  また、本発明の嵌脱自在パズルは、さらに好ましくは嵌め込みピースが六角形であり、側辺スペーサは、嵌め込みピースの各辺の中央部に対応して各々設けられ、底面スペーサは、台座に嵌合した状態の嵌め込みピースの押圧した一つの角に対して、直線状の支軸を形成することを特徴とする。【００１６】  また、本発明の嵌脱自在パズルは、さらに好ましくは底面スペーサが複数のドットからなることを特徴とする。【００１７】  また、本発明の嵌脱自在パズルは、さらに好ましくは底面スペーサが、嵌め込みピースより小さいｍ角形（３≦ｍ≦ｎ）の各頂点に配置される複数のドットからなることを特徴とする。【００１８】  また、本発明の嵌脱自在パズルは、さらに好ましくは嵌め込みピースと台座とが、所定の摩擦係数を有する木材またはプラスチックで形成されることを特徴とする。【００１９】  また、本発明の嵌脱自在パズルは、さらに好ましくは台座の側辺スペーサと、側辺スペーサと当接する嵌め込みピースの一辺とが、嵌め込みピースを台座に嵌合した状態で、台座の姿勢如何に拘わらず嵌め込みピースを保持できる程度の静止摩擦力を有することを特徴とする。【００２０】  また、本発明の嵌脱自在パズルは、さらに好ましくは嵌め込みピースを台座に嵌合した状態で、台座の底面から嵌め込みピース底面にまで貫通する貫通孔を備えることを特徴とする���【００２１】  また、本発明の嵌脱自在パズルユニットは、上述したいずれかの嵌脱自在パズルを平面状かつ一体的に複数備えることを特徴とする。【００２２】  また、本発明の嵌脱自在パズルシステムは、上述の嵌脱自在パズルユニットを平面状に複数備えることを特徴とする。
【発明の効果】
【００２３】  本発明により、ピースの嵌脱が容易でありながら、縦置きにしても嵌め込んだピースが容易に脱落することのない嵌脱自在パズル等を提供できる。
【図面の簡単な説明】
【００２４】
【図１】第一の実施形態の嵌脱自在パズルの台座を説明する斜視図である。
【図２】第一の実施形態の嵌脱自在パズルの台座を説明する平面図である。
【図３】台座に嵌め込みピースを嵌め込んだ状態の嵌脱自在パズルを説明する図である。
【図４】嵌脱自在パズルの嵌め込みピースを取り外す状態を説明する図である。
【図５】第二の実施形態にかかる嵌脱自在パズルユニットの台座を説明する斜視図である。
【図６】嵌脱自在パズルユニットの台座の構成概要を説明する図である。
【図７】嵌め込みピースを嵌め込んだ嵌脱自在パズルユニットの構成概要を説明する概念図である。
【図８】六角形の凹部を備える台座と、凹部の底面に配置される底面スペーサのバリエーションを説明する図である。
【図９】三角形の凹部を備える台座と、凹部の底面に配置される底面スペーサのバリエーションを説明する図である。
【図１０】嵌脱自在パズルユニットの台座を複数備える嵌脱自在パズルシステムを説明する平面図である。
【図１１】嵌脱自在パズルシステムの各台座を締結する締結部材を説明する図である。
【図１２】嵌脱自在パズルシステムの各台座を締結する他の締結部材を説明する図である。
【図１３】嵌脱自在パズルユニットの台座を説明する正面図である。
【図１４】嵌脱自在パズルユニットの台座を説明する背面図である。
【図１５】嵌脱自在パズルユニットの台座を説明する平面図である。
【図１６】嵌脱自在パズルユニットの台座を説明する底面図である。
【図１７】嵌脱自在パズルユニットの台座を説明する右側面図である。
【図１８】嵌脱自在パズルユニットの台座を説明する左側面図である。
【図１９】所望の高さを有するドット形状の底面スペーサを有する台座を説明する模式図である。
【図２０】棒形状の底面スペーサを有する台座を説明する模式図である。
【図２１】枠形状の底面スペーサを有する台座を説明する模式図である。
【図２２】クロスバー形状の底面スペーサを有する台座を説明する模式図である。
【発明を実施するための形態】
【００２５】  実施形態で説明する嵌脱自在パズルは、プレイヤーがピースを自在に嵌め込んだり外したりすることができる。嵌め込んだピースは、台座に設けられたスペーサにより保持される。また、スペーサは、台座を傾けたり縦置きしたりしてもピースが脱落しない程度の摩擦力でピースを保持する。このため、完成した後のパズルをそのまま壁に掛けて鑑賞することも可能となる。
【００２６】  また、ピースは、台座のスペーサとのみ接触するので、台座とピースとの間には、スペーサの厚さに対応する空間が形成される。さらに、ピースの底部を支持する底面スペーサは、ピースの大きさに比して小さい。このため、底面スペーサが設けられていないピースの角を押圧すると、押圧されたピースの角は押圧方向に陥没し、その対角または対辺は突出するように、底面スペーサを支軸として、形成された空間内でピースが傾動することができる。
【００２７】  これにより、ピースの嵌脱を容易にできるので、プレイヤーは、様々なピース嵌め込み態様を試行しながらパズルを楽しむことが可能となる。各ピースには所定の配色や模様や文字を付しておいて、複数のピースを嵌め込めるパズルユニットや、複数のパズルユニットを係合したパズルシステムとした場合に、全体としてまとまりのある色彩や模様や図柄・文字等を完成させることとしてもよい。
【００２８】  この場合においても、ピースの嵌め込み作業と取り外し作業とは何度でも繰り返し試行することができる。このため、プレイヤーが主体的に指先を動作をさせる頻度を向上させることができ、知育の観点からもリハビリの観点からも、また年配者の頭の体操と指先の体操との観点からも好ましい。
【００２９】  全体的な図柄や色彩から見てピースの配置箇所が適切ではない場合であっても、ひとまずピースを台座に嵌め込んだ上で作成された図柄等を確認することができるので、過度な思考負担や熟練した作業が不要であって、比較的容易にプレイすることができる嵌脱自在パズル等を実現できる。
【００３０】  （第一の実施形態）
図１乃至図４を用いて、第一の実施形態の嵌脱自在パズル３００の構成概要について説明する。図１は、嵌脱自在パズル３００の台座１１０を説明する斜視図である。また、図２は、嵌脱自在パズル３００の台座１１０を説明する平面図である。
【００３１】  図１と図２とにおいて、台座１１０は、正方形の嵌め込みピース１２０が嵌め込まれる正方形の凹部１１４を備える。凹部１１４の側壁には、四つの側辺スペーサ１１１（１），１１１（２），１１１（３），１１１（４）が設けられる。
【００３２】  また、凹部１１４の底面には、底面スペーサ１１２が設けられる。図１と図２とから理解されるように、底面スペーサ１１２は、凹部１１４よりも小さな正方形であり、凹部１１４に対して、４５°偏向して配置される。すなわち、底面スペーサ１１２は、嵌合した嵌め込みピース１２０に対して、４５°偏向して配置される。
【００３３】  図３は、台座１１０に嵌め込みピース１２０を嵌め込んだ状態の嵌脱自在パズル３００を説明する図である。図３に示すように、凹部１１４に嵌め込まれた嵌め込みピース１２０は、各辺縁部において各々四つの側辺スペーサ１１１（１），１１１（２），１１１（３），１１１（４）で支持される。また、凹部１１４に嵌め込まれた嵌め込みピース１２０は、その底面において底面スペーサ１１２に支持される。
【００３４】  このため、台座１１０の凹部１１４に嵌め込みピース１２０が嵌め込まれた状態において、台座１１０と嵌め込みピース１２０との間は、各スペーサの厚さに対応する空間が形成される。すなわち、台座１１０と嵌め込みピース１２０との間は、四つの側辺スペーサ１１１（１），１１１（２），１１１（３），１１１（４）と底面スペーサ１１２とを除き、直接接触しない状態で保持される。
【００３５】  嵌め込みピース１２０は、台座１１０を縦置きした場合でも脱落せずかつ揺動しない程度の静止摩擦力を、側辺スペーサ１１１（１），１１１（２），１１１（３），１１１（４）から受けて保持される。この場合に、嵌め込みピース１２０を保持するために必要となる静止摩擦力は、厳密には嵌め込みピース１２０の質量によっても異なるが、台座１１０を上下反転させても嵌め込みピース１２０が脱落しない程度とすることが好ましい。
【００３６】  さらに好ましくは、嵌め込みピース１２０と、側辺スペーサ１１１（１），１１１（２），１１１（３），１１１（４）とは木製とする。これにより、嵌め込みピース１２０の脱落を防止できる程度の静止摩擦力を、比較的容易に得ることが可能となる。さらに、嵌め込みピース１２０が、嵌め込みピース１２０の嵌め込みと取り外しとに障害にならない程度の押圧力を、側辺スペーサ１１１（１），１１１（２），１１１（３），１１１（４）から受ける程度に、側辺スペーサ１１１の厚さを構成する。
【００３７】  図４は、嵌脱自在パズル３００の嵌め込みピース１２０を取り外す状態を説明する図である。図１乃至図４から理解できるように、嵌め込ピース１２０の四隅の直下には、底面スペーサ１１２が存在しないので、中空状態となっている。このため、図４において、嵌め込みピース１２０の角部分を矢印向きに押し込めば、底面スペーサ１１２の一辺を支軸として、その対角が浮き上がる。これにより、嵌め込みピース１２０を台座１１０から容易に取り外すことが可能となる。従って、底面スペーサ１１２の厚さは、嵌め込みピース１２０の厚さと略同程度とすることが好ましい。
【００３８】  嵌脱自在パズル３００は、例えば台座１１０の四角形枠の表面と、嵌め込みピース１２０の表面とで一体的な図柄や模様が完成されるようにしてもよい。この場合には、例えば、嵌め込みピース１２０を嵌め込む向きや表面か裏面かによって、異なる図柄や異なる模様が完成されることとしてもよい。
【００３９】  また、図１と図２とに示すように、台座１１０は底面において、貫通孔１１３を備えることが好ましい。台座１１０が貫通孔１１３を備えることで、外部から台座１１０の底面の貫通孔１１３に棒を差し込み、棒が嵌め込みピース１２０を突いて浮かせることで、嵌め込みピース１２０を取り外し容易にすることとできる。
【００４０】  また、底面スペーサ１１２は、四角形やひし形の板状の形状に限定されることはなく、嵌め込みピース１２０の一隅を押圧された場合の支軸または支点を形成し得る形状であればよい。底面スペーサ１１２は、例えば所望の高さを有するドット形状や、棒形状、枠形状やクロスバー形状とすることができる。なお、底面スペーサ１１２のバリエーションを説明する下記図１９〜図２２においては、図面の符号は省略している。
【００４１】  図１９は、所望の高さを有するドット形状の底面スペーサ１１２を有する台座１１０を説明する模式図である。ドット形状の底面スペーサ１１２は、二つのドットで仮想的な支軸を形成し、押圧された角隅の対角をいわばシーソーのようにして、上方へと持ち上げる。
【００４２】  また、図２０は、棒形状の底面スペーサ１１２を有する台座１１０を説明する模式図である。棒形状の底面スペーサ１１２は、一つの棒が支軸となり、押圧された角隅の対角をいわばシーソーのようにして、上方へと持ち上げる。
【００４３】  また、図２１は、枠形状の底面スペーサ１１２を有する台座１１０を説明する模式図である。枠形状の底面スペーサ１１２は、枠の一辺が支軸となり、押圧された角隅の対角をいわばシーソーのようにして、上方へと持ち上げる。
【００４４】  また、図２２は、クロスバー形状の底面スペーサ１１２を有する台座１１０を説明する模式図である。クロスバー形状の底面スペーサ１１２は、クロスバーの隣接する端部が仮想的な支軸となり、押圧された角隅の対角をいわばシーソーのようにして、上方へと持ち上げる。
【００４５】  （第二の実施形態）
図５乃至図７を用いて、第二の実施形態にかかる嵌脱自在パズルユニット７００について説明する。図５は、第二の実施形態にかかる嵌脱自在パズルユニット７００の台座５１０を説明する斜視図である。嵌脱自在パズルユニット７００の台座５１０は、第一の実施形態で説明した嵌脱自在パズル３００の台座１１０を、実質的に縦横各５つずつまとめて一体的に構成したユニットである。
【００４６】  図５において嵌脱自在パズルユニット７００の台座５１０は、５×５の嵌脱自在パズル３００の台座１１０を備える構成として示すが、嵌脱自在パズルユニット７００における嵌脱自在パズル３００の台座１１０の構成数は任意とすることができる。
【００４７】  また、図５において嵌脱自在パズルユニット７００の台座５１０は、５×５の嵌脱自在パズル３００の台座１１０を一体構成として備える。しかし、嵌脱自在パズルユニット７００の台座５１０は、５×５の嵌脱自在パズル３００の台座１１０を一体構成として備えていなくてもよく、複数の嵌脱自在パズル３００の台座１１０を締結装置等を用いて互いに締結して、例えば５×５に構成してもよい。
【００４８】  図５においては、台座５１０の各側面外側に、隣接して他の台座５１０を嵌合して連結できる凹凸を設けている。複数の台座５１０を連結してより大きなパズルシステムを構成する場合に、このような凹凸を設けることにより、各台座５１０がずれることなく確実に連結できるので好ましい。なお、嵌脱自在パズルユニット７００は、上述したように実質的に第一の実施形態で説明した嵌脱自在パズル３００を複数備える構成となるので、説明の重複を避けるために、ここではその説明を簡略にすることとする。
【００４９】  また、図１３〜図１８は、嵌脱自在パズルユニット７００の台座５１０を説明する六面図である。
【００５０】  図６は、嵌脱自在パズルユニット７００の台座５１０の構成概要を説明する図である。また、図７は、嵌め込みピース５２０を嵌め込んだ嵌脱自在パズルユニット７００の構成概要を説明する概念図である。
【００５１】  図６と図７とにおいて、嵌脱自在パズルユニット７００の台座５１０は、複数の凹部５１４に対応して、各々複数の底面スペーサ５１２と四つの側辺スペーサ５１１（１），５１１（２），５１１（３），５１１（４）とを備える。
【００５２】  四つの側辺スペーサ５１１（１），５１１（２），５１１（３），５１１（４）の厚さは、嵌め込みピース５２０に対して、脱落しないように保持できる程度の押圧力及びそれに起因する静止摩擦力を生じさせ、かつ嵌め込みピース５２０を取り外す場合に必要となる遊び空間を形成できる程度の厚さとすることが好ましい。
【００５３】  また、底面スペーサ５１２の厚さは、嵌め込みピース５２０を取り外す場合に、押圧された角が、充分に陥没できる程度の空間を形成する程度の厚さとする。好ましくは、底面スペーサ５１２の厚さは、嵌め込みピース５２０の厚さと略同程度とする。これにより、嵌め込みピース５２０の任意の角を下方に押圧した場合に、底面スペーサ５１２の対応する一辺を支軸として、対角が上方に適量（好ましくは、嵌め込みピース５２０の厚さより大きい）だけ突出し、嵌め込みピース５２０を容易に取り外すことが可能となる。
【００５４】  なお、嵌脱自在パズルユニット７００の台座５１０は、各凹部５１４の底面に、第一の実施形態で説明した貫通孔１１３を備えていてもよい。嵌脱自在パズルユニット７００においては、嵌め込みピース５２０の数が複数であるので、例えば予め複数の棒状ピンを平面状に所定間隔で立ててセットしておき、その上方から台座５１０の貫通孔１１３に複数の棒状ピンを一度に挿入させてもよい。これにより、各棒状ピンが、同時に複数の嵌め込みピース５２０を突いて、嵌め込みピース５２０を容易に短時間で取り外すことができる。
【００５５】  次に、図８と図９とを参照して、台座５１０の凹部５１４の形状バリエーションと、その底面スペーサ５１２のバリエーションとについて説明する。なお、台座５１０の凹部５１４の形状は、嵌脱自在パズルユニット７００の嵌め込みピース５２０の形状に対応する。
【００５６】  図８は、六角形の凹部８１４を備える台座８１０と、凹部８１４の底面に配置される底面スペーサ８１２のバリエーションを説明する図である。図９は、三角形の凹部９１４を備える台座９１０と、凹部９１４の底面に配置される底面スペーサ９１２のバリエーションを説明する図である。
【００５７】  図８（ａ）は、ドット状の底面スペーサ８１２（１）を備える台座８１０を説明する図である。また、図８（ｂ）は、直線状の底面スペーサ８１２（２）を備える台座８１０を説明する図である。
【００５８】  また、図８（ｃ）は、長方形の枠状の底面スペーサ８１２（３）を備える台座８１０を説明する図である。また、図８（ｄ）は、長方形の板状の底面スペーサ８１２（４）を備える台座８１０を説明する図である。
【００５９】  図８（ａ）〜図８（ｄ）のいずれにおいても、六角形の嵌め込みピースの図面における上端の角または下端の角を押圧することで、対応する底面スペーサ８１２（１）〜８１２（４）が支軸を形成し、他端の角が浮き上がることとなる。
【００６０】  この場合に、支軸位置が、押圧する部分に比較的近い配置構成となるので、てこの原理により、押圧による陥没深さに対して他端の突出高さが比較的高くなり、嵌め込みピースの取り外しがさらに容易となる。なお、底面スペーサ８１２は支軸ではなく支点を形成するような形状や配置としてもよい。
【００６１】  また、図９（ａ）は、ドット状の底面スペーサ９１２（１）を備える台座９１０を説明する図である。また、図９（ｂ）は、直線状の底面スペーサ９１２（２）を備える台座９１０を説明する図である。
【００６２】  また、図９（ｃ）は、三角形の枠状の底面スペーサ９１２（３）を備える台座９１０を説明する図である。また、図９（ｄ）は、三角形の板状の底面スペーサ９１２（４）を備える台座９１０を説明する図である。
【００６３】  図９（ａ）〜図９（ｄ）に示すいずれの場合においても、押圧する角と浮き上がる対辺とのほぼ中間に支軸が形成されることとなるので、比較的小さな押圧力で、対辺を上方に浮き上がらせることが可能となる。なお、底面スペーサ９１２は支軸ではなく支点を形成するような形状や配置としてもよい。
【００６４】  嵌脱自在パズルユニット７００は、全体として一体的または統一感のある図柄や模様となるように、各嵌め込みピース５２０の表面または裏面と、台座５１０の辺縁部等とに、任意の配色や彫刻を配してもよい。
【００６５】  台座５１０の凹部５１４，８１４，９１４の形状と、その底面スペーサ５１２，８１２，９１２とは、上述した説明に限定されることはなく、適宜組み合わせ適用してもよい。また、凹部５１４，８１４，９１４の形状と、その底面スペーサ５１２，８１２，９１２とは、嵌め込みピース５２０のいずれかの一隅を押圧して対辺または対角を浮き上がらせることができる限りにおいて、任意の形状と任意の配置とすることができる。
【００６６】  （第三の実施形態）
図１０は、嵌脱自在パズルユニット７００の台座５１０を複数備える嵌脱自在パズルシステム１０００を説明する平面図である。図１０においては紙面の都合上、嵌脱自在パズルシステム１０００について、台座５１０（１），５１０（２），５１０（３），５１０（４），５１０（５），５１０（６），５１０（７）を図示した。しかしこれに限定されることはなく、嵌脱自在パズルシステム１０００は、任意の数の台座５１０を備えてよいものとする。
【００６７】  これにより、嵌脱自在パズルシステム１０００全体として、統一感のある図柄や模様等を完成させるパズルとすることができる。嵌脱自在パズルシステム１０００は、実質的に第一の実施形態で説明した嵌脱自在パズル３００を複数備える構成となるので、説明の重複を避けるために、ここではその説明を省略する。
【００６８】  図１１は、嵌脱自在パズルシステム１０００の各台座５１０を締結する締結部材１１６０を説明する図である。図１１（ａ）が締結部材１１６０を説明する図であり、図１１（ｂ）が締結部材１１６０を用いて複数の台座５１０を締結した状態を説明する図である。
【００６９】  図１１から理解されるように、締結部材１１６０は、隣接する台座５１０の一辺の脚部分を底側から共にクリップ状に挟み込んで、両者を締結する。また、締結部材１１６０は、挿脱が容易であるので、組み替えや配置換えが容易に可能な嵌脱自在パズルシステム１０００となる。
【００７０】  また、図１２は、嵌脱自在パズルシステム１０００の各台座５１０を締結する他の締結部材１２６０，１２６１を説明する図である。図１２（ａ）が締結部材１２６０，１２６１を説明する図であり、図１２（ｂ）が締結部材１２６０，１２６１を用いて複数の台座５１０を締結した状態を説明する図である。
【００７１】  図１２から理解されるように、締結部材１２６１は、隣接する四つの台座５１０の角の脚部分を底側から共にクリップ状に挟み込んで、四隅を締結する。また、締結部材１２６０は、隣接する二つの台座５１０の角の脚部分を共にクリップ状に挟み込んで、二隅を締結する。締結部材１２６０，１２６１は、挿脱が容易であるので、組み替えや配置換えが容易に可能な嵌脱自在パズルシステム１０００とできる。
【００７２】  また、嵌脱自在パズルシステム１０００は、額縁やのり付け等をすることなく、そのままで縦置きにして壁等に掛けて鑑賞することができる。また、嵌脱自在パズルシステム１０００は、自在にその構成や形状を組み変えることが可能である。また、嵌脱自在パズルシステム１０００は、個々の嵌め込みピースを容易に着脱することが可能でありながら、予期せぬ嵌め込みピースの脱落を回避できる。
【００７３】  上述した嵌脱自在パズル３００と嵌脱自在パズルユニット７００と嵌脱自在パズルシステム１０００とは、各実施形態での説明に限定されることはなく、自明な範囲で構成を適宜変更してもよく、また自明な範囲で形状を適宜変更し、または模様を付加してもよい。
【００７４】  例えば、嵌め込みピースの形状は各々円形としてもよい。また、嵌脱自在パズルユニット７００を多数組み合わせた嵌脱自在パズルシステム１０００とし、例えば看板や標識、表示板などとして用いてもよい。嵌め込みピースに所定の色彩や模様を付しておけば、嵌脱自在パズルシステム１０００全体として、特定のメッセージを対象者に視認させる広告として用いることもできる。
【００７５】  また、台座はプラスチックで形成してもよく、嵌め込みピースは木材とプラスチックとのいずれかで形成してもよい。木材を用いる場合には、例えば白樫を用いてもよい。白樫は適度な強度を有するので、例えば厚さ４ミリメートル程度の嵌め込みピースとした場合に、プレイヤーが誤って口内に挿入して噛むようなことがあっても割れないピースとでき耐久性が向上する。また、白樫は塗装等との親和性が高く、模様や文字等を嵌め込みピースに付しやすいので好ましい。さらに、嵌め込みピースの中心付近に孔を開けておくことで、ピースに紐を通して数珠つなぎとして遊べる玩具とすることもできる。これにより、ピースを台座に嵌め込まない状態で収納する場合などに、ピースがばらけず紐通しにより束ねて保管できるので好ましい。さらに、嵌め込みピースの側面や表面に、例えばレーザ等を用いて、ピースの模様や文字等の種類情報を通知する凹凸や溝を刻印し、これをマーカとして、目の不自由な方でも凹凸によりピースの種別情報を取得でき、楽しめるパズルとしてもよい。また、レーザ等による刻印技術を用いて、嵌め込みピースの模様や文字等を付してもよい。これにより、指先の触覚等により、刻印によるわずかな凹凸を知覚することが可能となる。
【産業上の利用可能性】
【００７６】  本発明は、知育玩具や知能パズル、高齢者や障害者のリハビリテーション及びレクリエーション機器、繰り返し利用可能な表示板等に幅広く適用できる。
【符号の説明】
【００７７】  １１０・・台座、１１１・・側辺スペーサ、１１２・・底面スペーサ、１１３・・貫通孔、１１４・・凹部、１２０・・嵌め込みピース、３００・・嵌脱自在パズル、７００・・嵌脱自在パズルユニット、１０００・・嵌脱自在パズルシステム。
【図１】
2014166588.tif 000003
【図２】
2014166588.tif 000004
【図３】
2014166588.tif 000005
【図４】
2014166588.tif 000006
【図５】
2014166588.tif 000007
【図６】
2014166588.tif 000008
【図７】
2014166588.tif 000009
【図８】
2014166588.tif 000010
【図９】
2014166588.tif 000011
【図１０】
2014166588.tif 000012
【図１１】
2014166588.tif 000013
【図１２】
2014166588.tif 000014
【図１３】
2014166588.tif 000015
【図１４】
2014166588.tif 000016
【図１５】
2014166588.tif 000017
【図１６】
2014166588.tif 000018
【図１７】
2014166588.tif 000019
【図１８】
2014166588.tif 000020
【図１９】
2014166588.tif 000021
【図２０】
2014166588.tif 000022
【図２１】
2014166588.tif 000023
【図２２】
2014166588.tif 000024